(57)【特許請求の範囲】
【請求項１】
被加工材を切断する切断刃と、該切断刃を回転駆動するためのモータを収納するハウジングと、前記ハウジングに固定され前記切断刃を覆うソーカバーと、前記モータの回転駆動を制御するトリガを有したハンドルと、を有する本体部と、
前記ハウジングに接続され前記被加工材上を摺動し、前記切断刃が突出する開口部を有するベース部と、を備えた携帯用切断機において、
前記本体部に設けられ、前記モータの駆動を可能にする位置と、前記モータの駆動を不可能にする位置とで移動可能な移動規制部材と、
前記本体部に移動可能で、前記トリガと当接することによって前記トリガの操作を規制する規制部とを備え、
前記移動規制部材は、前記規制部が前記トリガとの当接を解除するように移動することを許容することで前記モータの駆動を可能にし、前記規制部と当接し前記規制部が前記トリガとの当接を解除するように移動することを規制することで前記モータの駆動を不可能にすることを特徴とする携帯用切断機。
【請求項２】
前記移動規制部材は、フック部材であることを特徴とする請求項１に記載の携帯用切断機。
【請求項３】
前記本体部はフック当接部を有し、前記フック部材が前記フック当接部と非当接状態のとき、前記モータの駆動を可能にし、前記フック部材が前記フック当接部と当接状態のとき、前記モータの駆動を不可能にすることを特徴とする請求項２に記載の携帯用切断機。
【請求項４】
モータと、前記モータの回転駆動を制御するトリガを有したハンドルと、を有する本体部と、を備えた電動工具において、
略Ｕ字形状をし、フック端部、中間部、回動軸を有し、前記本体部に前記回動軸が回動可能に支持されたフック部材を設け、
前記本体部は、前記フック部材の回動が規制されているときに前記フック部材と当接可能で、前記モータを駆動させる回路をオン状態とするフック当接部を有し、前記フック当接部に前記フック部材が当接していないときに、前記トリガの操作にかかわらず前記モータの駆動を不可能にすることを特徴とする電動工具。
【発明の詳細な説明】
【技術分野】
【０００１】
本発明は、携帯用切断機などの電動工具に関する。
【背景技術】
【０００２】
従来の携帯用切断機となる携帯用丸のこ（以下、丸のこと称す）は、被加工材上を摺動するベース部と、ベースに連結された本体部から主に構成される。本体部は、被加工材を切断するためののこ刃と、のこ刃を駆動するモータと、作業者が把持するハンドルを有し、のこ刃のベース部底面からの突出量を調整可能に構成されている。
【０００３】
一方、モータの駆動源としては、特許文献１に開示されるように商用電源から電力供給を受けるタイプ（コード付き丸のこ）と、特許文献２に開示されるように本体部に着脱可能に取り付けられる二次電池からなる電池パックから電力供給を受けるタイプ（コードレス丸のこ）の２タイプが存在する。
【先行技術文献】
【特許文献】
【０００４】
【特許文献１】特開２０１０−０３６２６９号公報
【特許文献２】特開２００８−２２９７６３号公報
【発明の概要】
【発明が解決しようとする課題】
【０００５】
コード付き丸のこは、商用電源に接続していれば使用することができるが、電源環境の無い場所では使用することができない。一方、コードレス丸のこは、電源環境の無い場所でも使用することができ使い勝手が良い。
【０００６】
しかしながら、コードレス丸のこは、電池パックの充電状態に応じて使用時間が制限されたり、電池パックが空になった場合には充電する必要がある。更に、コードレス丸のこは、電池パックを接続した状態で放置した場合、意図せずにモータが駆動して電池パックの電力を消費してしまうことが考えられる。電池パックがリチウム電池の場合であれば、過放電状態となり電池パックの寿命を短くしてしまう恐れもある。一方、コード付き丸のこでも、同様に、商用電源に接続した状態で放置した場合には意図せずモータが駆動してしまい余分な電力を消費してしまうことが考えられる。
【０００７】
そこで、本発明は、上記した従来の欠点をなくし、意図しない場合にモータへの電力供給を遮断し、商用電源あるいは電池パックの無駄な電力消費を抑制することを目的としている。
【課題を解決するための手段】
【０００８】
上記課題を解決するために本発明は、被加工材を切断する切断刃と、該切断刃を回転駆動するためのモータを収納するハウジングと、前記ハウジングに固定され前記切断刃を覆うソーカバーと、前記モータの回転駆動を制御するトリガを有したハンドルと、を有する本体部と、前記ハウジングに接続され前記被加工材上を摺動し、前記切断刃が突出する開口部を有するベース部と、を備えた携帯用切断機において、前記本体部に設けられ、前記モータの駆動を可能にする位置と、前記モータの駆動を不可能にする位置とで移動可能な移動規制部材を備えた携帯用切断機を提供する。
または、モータと、前記モータの回転駆動を制御するトリガを有したハンドルと、を有する本体部と、を備えた電動工具において、略Ｕ字形状をし、フック端部、中間部、回動軸を有し、前記本体部に前記回動軸が回動可能に支持されたフック部材を設け、前記フック部材の回動位置に応じて、前記トリガの操作にかかわらず前記モータの駆動を不可能にする電動工具を提供する。
【０００９】
なお、前記移動規制部材は、フック部材であることが好ましい。
【００１０】
なお、前記フック部材は、切断方向後方であって前記本体部の前記モータ側の側面にフック回動軸を有し、該フック回動軸を中心に回動可能で、且つ前記フック回動軸方向に摺動可能に支持されていることが好ましい。
【００１１】
なお、前記本体部はフック当接部を有し、前記フック部材が前記フック当接部と非当接状態のとき、前記モータの駆動を可能にし、前記フック部材が前記フック当接部と当接状態のとき、前記モータの駆動を不可能にすることが好ましい。
【００１２】
なお、前記本体部内には前記移動規制部材に接続され前記トリガの操作を規制する規制部を有し、前記移動規制部材の回動動作に伴って前記規制部は規制回動軸を中心に回動されることにより、前記トリガ操作が規制され、前記モータの駆動を不可能にすることが好ましい。
【発明の効果】
【００１３】
本発明によれば、意図しない場合にモータへの電力供給を遮断することができるため、商用電源あるいは電池パックの無駄な電力消費を抑制することができる。
【図面の簡単な説明】
【００１４】
【図１】本発明となる携帯用切断機の実施の形態を示す上面図。
【図２】図１の携帯用切断機の使用状態を示す図。
【図３】本発明となる携帯用切断機の別の実施の携帯を示す側面図。
【図４】図３のＸ方向から見た一部拡大図。
【図５】図３のＡ−Ａ線断面図であってフック部材の第１状態を示す図。
【図６】図３のＡ−Ａ線断面図であってフック部材の第２状態を示す図。
【図７】図５のＢ−Ｂ線断面図。
【発明を実施するための形態】
【００１５】
本発明となる携帯用丸のこの第一の実施の形態を図１及び図２を参照して説明する。まず、本発明となる丸のこの構成について説明する。
【００１６】
丸のこは、被加工材上を摺動するベース部１と、ベース部１と連結された本体部２から主に構成されている。
ベース部１は、本体部２と連結された主ベース１ａと、主ベース１ａに着脱可能に取り付けられる補助ベース１ｂから構成される。補助ベース１ｂを主ベース１ａに取り付ける場合、補助ベース１ｂの前後位置（図１の左右方向）に設けられたガイド部１ｃを主ベース１ａの図示しない挿入孔に挿入してノブ１ｄによってガイド部１ｃを主ベース１ａに押し付けることで行う。
【００１７】
本体部２は、被加工材を切断するための切断刃３と、切断刃３を駆動するためのモータ４と、作業者が把持するハンドル５から主に構成されている。切断刃３はその外周をソーカバー６によって覆われている。モータ４はモータハウジング７内に収容されている。ハンドル５はソーカバー６とモータハウジング７の間（図１の上下方向）に位置しており作業者が把持する部分である。
【００１８】
ハンドル５の端部には、モータ４の駆動源となる電池パック８を取り付けるための電池装着部９が設けられている。また、ハンドル５にはモータ４の駆動、停止を制御するためのトリガスイッチ１０が設けられるとともに、トリガスッチ１０の近傍にはトリガスイッチ１０のオン操作を制限するためのオフロックスイッチ１１が設けられている。
【００１９】
ベース部１と本体部２は、連結部１２によって連結されている。連結部１２はベース部１から立設された支持部１２ａと、ソーカバー６の一端側（図１の右側）に設けられた被支持部６ａと、支持部１２ａと被支持部６ａのそれぞれに設けられた図示しない貫通孔に挿入されるボルト１２ｂとから構成される。更に、連結部１２とは反対側（図１の左側）には、ベース部１の底面からの切断刃３の突出量を調整するための切り込み深さ調整機構１３が設けられており、この調整機構１３によってもベース部１と本体部２は連結されている。
【００２０】
調整機構１３は、ベース部１から立設されたリンク部１３ａと、本体側に設けられリンク部１３ａに形成された図示しない長穴に挿入されるノブ１３ｂから構成される。連結部１２（ボルト１２ｂ）を支点として本体部２をベース部１に対して回動させてベース部１の底面からの切断刃３の突出量を所望の深さに調整した後、ノブ１３ｂを締め付けることにより所望の切り込み深さで切断作業を行うことができる。
【００２１】
また、ベース部１にはベース部１に対して本体部２を傾斜するための傾斜機構１４を備えている。傾斜機構１４は、ベース部１に設けられた傾斜支持部１４ａと、本体部２にねじ嵌合したノブ１４ｂから構成されている。ノブ１４ｂを緩めベース部１に対して本体部２を傾動支点１４ｃを支点として傾斜させて所望の傾斜角度にした後、ノブ１４ｂを締め付けて本体部２とノブ１４ｂによって傾斜支持部１４ａを挟み込むことで傾斜切断を行うことができる。
【００２２】
次に、本発明となる丸のこの特徴について説明する。丸のこは、作業者が意図したいときにモータ４が駆動しないよう構成されている。以下詳細に説明する。
【００２３】
丸のこの本体部２には、作業場所の任意の箇所に丸のこを引っ掛けるためのフック部材であるフック１５が設けられている。フック１５は略Ｕ字形状で構成され、先端部のフック端部１５ａ、中間部分のフック中間部１５ｂ、フック回動軸１５ｃとにより形成されている。フック端部１５ａを、壁に設けられた金具や木材等の引っかけ部２０に引っ掛けることで、切断作業を行わない際に丸のこ本体を収納することができる。さらに、フック１５は本体部２の側面に設けられフック回動軸１５ｃ方向に設けられた支持部貫通孔２３ａを有する支持部２３によって回動可能に支持されており、支持部貫通孔２３ａに挟まれるようにヒンジ２２が間に挿入され、フック１５とヒンジ２２がねじ２１で螺合されることで、フック１５が本体部２から抜け落ちることを防止している（図４）。また、フック回動軸１５ｃが本体部に設けられた支持部２３を貫通し、フック回動軸１５ｃの末端に設けられたヒンジ２２によって抜け落ちることを防止する構成とすることにより、フック１５がフック回動軸１５ｃ方向に移動するような構成でもよい（図２）。フックが設けられる位置は、本体部２の側面に限定されず、ハンドル５の側面や電池装着部９の側面など任意の位置に設けられてもよく、フック端部１５ａの延長軸上にベース部１や本体部２が重ならない位置にフック１５を設置すると、これらの部材が邪魔にならずより好ましい（図２、図３）。
【００２４】
つぎに、モータ４の駆動を許可あるいは禁止するための機構について、以下説明する。
【００２５】
図１に示すように、本体部２若しくはベース部１の表面又は内部には、フック収容部２５が収容され、フック収容部２５はフック当接部である板ばね２４を有している。板ばね２４は、モータ４を駆動させるための図示しない回路の一部と電気的に連通しており、フック１５によって板ばね２４が押圧されるとモータ４を駆動させるための回路がオンとなり、モータ４が駆動可能状態となる。具体的には、フック１５がフック収容部２５に挿入されると、図１の破線部のように板ばね２４と図示しない回路部に設けられるスイッチ部２４ａとが、電気的に接続されモータ４の駆動が可能な状態となる。この状態でトリガ１０を操作するとモータ４が駆動する。逆に、図１の実線部のようにフック１５が、作業者によって抜かれると板ばね２４の付勢力によってスイッチ部２４ａとの電気的な接続が解除され、モータ４を駆動させるための回路がオフとなり、モータ４の駆動ができない状態となる。この状態でトリガ１０を操作してもモータ４は駆動しない。従って、本体部２と接続されたフック１５が引っ掛け部２０などに引っ掛けられた状態のときには、モータ４が駆動しない構成となっている。フック当接部は、板ばね２４に限定されることはなく、スイッチや素子等の電子部品で構成されていてもよい。
【００２６】
つぎに本発明の別の実施形態について説明する。
【００２７】
図５乃至図７に示すように、本体部２のハンドル５の内部には規制部であるオフロックスイッチ１１が設けられ、オフロックスイッチ１１は規制回動軸１１ａを中心にハンドル５の内部で回動する構成となっており、オフロックスイッチ端部１１ｂがトリガ１０と当接することによって、トリガ１０の操作が規制されモータの電源をＯＮできない構成となっている。さらに、ハンドル５内にはオフロックスイッチ１１の回動動作を規制するストッパ２６が配設されておりストッパ２６は、弾性体２６ａによってフック回動軸１５ｃ側に押し付けられている。フック１５収納時はハンドル５前面の壁面にフック１５を併設し、フック１５使用時にはフック１５を引き起こし切断刃３と平行となる位置まで回動させる。このとき、フック１５にはヒンジ２２がねじ２１によって固定されており、フック１５の回動に合わせてヒンジ１１も回動する。フック１５使用時にヒンジ２２が回動することで、ハンドル５内に配設されたストッパ２６がヒンジ２２に押圧され、弾性体２６ａの付勢とは逆方向に摺動することで、オフロックスイッチ１１の正面に位置していたストッパ２６に設けられたストッパ溝２６ｂがオフロックスイッチ１１正面から移動しオフロックスイッチ１１が回動不能となりトリガ１０を操作不能とし、モータ４を駆動させることができなくなる。
【００２８】
つぎに、本発明に係る効果について以下、説明する。
【００２９】
請求項１に係る発明によれば、被加工材を切断する切断刃３と、切断刃３を回転駆動するためのモータ４を収納するハウジング７と、ハウジング７に固定され切断刃３を覆うソーカバー６と、モータ４の回転駆動を制御するトリガ１０を有したハンドル５と、を有する本体部２と、ハウジング７に接続され被加工材上を摺動し、切断刃３が突出する開口部を有するベース部１と、を備えた携帯用切断機において、本体部２に設けられ、モータ４の駆動を可能にする位置と、モータの駆動を不可能にする位置とで移動可能な移動規制部材を備えた携帯用切断機を提供している。
【００３０】
このような構成にすることによって、不意にモータが駆動することを防止でき、電池パックの余計な電力を消費することを抑制することができる。
【００３１】
請求項２に係る発明によれば、移動規制部材は、フック部材１５であることが好ましい。
【００３２】
このような構成にすることによって、フック部材を使用する際は、切断作業を行わないときであるから、簡単な構成で効率の良い部材（移動規制部材）を提供できると共に、不意にモータが駆動することを防止でき、電池パックの余計な電力を消費することを抑制することができる。
【００３３】
請求項３に係る発明によれば、フック部材１５は、切断方向後方であって本体部２のモータ４側の側面にフック回動軸１５ｃを有し、フック回動軸１５ｃを中心に回動可能で、且つフック回動軸１５ｃ方向に摺動可能に支持されていることが好ましい。
【００３４】
このような構成にすることによって、フック使用時に本体部が邪魔となり、作業者がフックを引っ掛けづらいといった不満を解消することができると共に、簡単な構成で不意にモータが駆動することを防止でき、電池パックの余計な電力を消費することを抑制し、作業性の良い携帯用切断機を提供することができる。
【００３５】
請求項４に係る発明によれば、本体部２はフック当接部２４を有し、フック部材１５がフック当接部２４と非当接状態のとき、モータ４の駆動を可能にし、フック部材１５がフック当接部２４と当接状態のとき、モータ４の駆動を不可能にすることが好ましい。
【００３６】
このような構成にすることによって、簡単な構成でモータの駆動を制御することができ、安価な部材の携帯用切断機を提供することができる。
【００３７】
請求項５に係る発明によれば、本体部２内には移動規制部材に接続されトリガ１０の操作を規制する規制部１１を有し、移動規制部材の回動動作に伴って規制部１１は規制回動軸１１ａを中心に回動されることにより、トリガ１０の操作が規制され、モータ４の駆動を不可能にすることが好ましい。
【００３８】
このような構成にすることによって、簡単な構成でモータの駆動を制御することができ、安価な部材の携帯用切断機を提供することができる。
【符号の説明】
【００３９】
ベース部１  本体部２  切断刃３  モータ４  ハンドル５  ソーカバー６  ハウジング７  トリガ１０  規制部１１  規制回動軸１１ａ  フック部材１５  フック回動軸１５ｃ  フック当接部２４  
【図１】
0005673035.tif 000002
【図２】
0005673035.tif 000003
【図３】
0005673035.tif 000004
【図４】
0005673035.tif 000005
【図５】
0005673035.tif 000006
【図６】
0005673035.tif 000007
【図７】
0005673035.tif 000008